(57)【特許請求の範囲】
【請求項１】
保持部を備える支持部材を用いて横葺き外装材を敷設する横葺き屋根構造であって、
前記支持部材は、下地に固定する固定部と、左右の側面部と、上面部と、上面部に切り起こしにて形成した保持部と、からなり、前記保持部の側端部が上方へ跳ね上がり状に屈曲され、上面部と左右の側面部で長手方向に連続する内部空間を形成し、敷設状態においては前記内部空間に屋根勾配に沿って連続する排水部材を配設したことを特徴とする横葺き屋根構造。
【請求項２】
支持部材上に防水材が敷設されていることを特徴とする請求項１に記載の横葺き屋根構造。
【発明の詳細な説明】
【技術分野】
【０００１】
本発明は、簡易（安価）に雨仕舞性能に優れた屋根を提供することができる横葺き屋根構造に関する。
【背景技術】
【０００２】
従来より、雪国等の寒冷地の屋根における積雪によって生じる、いわゆる「すが漏れ」防止を図る各種の提案がなされている。
また、台風時の強風雨や、局地的な豪雨等、大量の降水と強風が継続的に作用する異状環境条件下においては、屋根面を流下する雨水が強風によりせき止められて、屋根板の係合部が冠水状態になり、これをオーバーフローして室内側に雨水が浸入（＝漏水）することがあった。
【０００３】
そこで、本願出願人は、水漏れや雨漏りを確実に防止できる優れた雨仕舞機能を有する屋根構造を特許文献１にて提案した。
この特許文献１の屋根構造は、母屋上に下内層材を敷設し、この下内層材上に垂木を固定部材で固定すると共に、垂木上に屋根材を敷設固定して下内層材と屋根材との間に空気層を形成した二重葺き屋根であって、下内層材上に水漏り防止板を敷設し、固定部材の押え板で水漏り防止板の一部を押圧固定し、水漏り防止板の垂木内部に配設される部分に、押え板の断面形状と近似する突条部を形成し、この突条部に固定具挿通用の切欠部を設けた構成である。
【特許文献１】特公平７−９６８２０号公報
【発明の開示】
【発明が解決しようとする課題】
【０００４】
しかしながら、前記特許文献１の屋根構造は、雨仕舞性能には優れているが、屋根を二重葺きとするために、資材コストも施工コストも高価なものとなっていた。
そこで、本発明は、安価に雨仕舞性能に優れた屋根を提供できる横葺き屋根構造を提案することを目的とする。
【課題を解決するための手段】
【０００５】
本発明は、上記に鑑み提案されたもので、保持部を備える支持部材を用いて横葺き外装材を敷設する横葺き屋根構造であって、前記支持部材は、下地に固定する固定部と、左右の側面部と、上面部と、上面部に切り起こしにて形成した保持部と、からなり、前記保持部の側端部が上方へ跳ね上がり状に屈曲され、上面部と左右の側面部で長手方向に連続する内部空間を形成し、敷設状態においては前記内部空間に屋根勾配に沿って連続する排水部材を配設したことを特徴とする横葺き屋根構造に関するものである。
【０００６】
また、本発明は、支持部材上に防水材が敷設されていることを特徴とする前記横葺き屋根構造をも提案するものである。
【発明の効果】
【０００７】
本発明の横葺き屋根構造は、屋根面の裏面側に積雪の融雪水や雨水などが浸入しても、支持部材の内部空間に配設された排水部材に導き、該排水部材により、それ以上の浸入（＝漏水）を生ずることがなく、屋根勾配に沿って雨水等を流下させることができ、雨仕舞性能に優れた屋根を提供することができる。そして、本発明に用いる支持部材は、この種の横葺き屋根構造に一般的に用いられている略ハット型の金属垂木を流用でき、その内部に排水部材を配設する簡易な構造であるため、資材コスト面でも施工コスト面でも前記従来の二重葺き屋根構造に比較して安価なものとなる。
【０００８】
特に支持部材上に防水材を敷設した場合、前述の雨仕舞性能に加え、この防水材による雨仕舞性能も付加されるものとなる。
【発明を実施するための最良の形態】
【０００９】
本発明に用いる支持部材は、一般に垂木と称される部材であって、図示実施例などに示されるような断面ハット型であり、下地に固定する固定部と、左右の側面部と、上面部とからなり、上面部と左右の側面部で長手方向に連続する内部空間を形成する構成である。
また、この支持部材は、後述する横葺き外装材を保持する保持部を一体的に備える構成であり、保持部を形成する手法としては、切り起こし、プレス等によって上面部に略爪状の保持部を一体的に設けられるものでもよいし、別部材（＝保持部材）を取り付けることで一体化されるものでもよい。
さらに、この支持部材は、一本の長尺材でもよいし、所定長さの部材を、直列状（分断状でもよい）に配した構成でもよい。
【００１０】
支持部材の上面部に、切り起こし等によって略爪状の保持部を形成する場合、上面部に長孔状の切り込みを形成し、該切り込みを起こしてプレス等にて後述する横葺き外装材の水上側成形部を保持する形状に成形加工する。
特に保持部は、耐変形性や保持強度を目的として例えば補強リブを設ける等の構造を採ることが好ましく、さらにその側縁になる小口（切り口）が横葺き外装材の裏面に直接接触しないような形状に成形することが好ましい。即ち小口（切り口）が横葺き外装材の裏面に直接接触した状態では、部材の伸縮や振動等に起因する摩擦によって金属劣化を生じる恐れがあるが、例えば小口（切り口）を上向きに成形することにより、保持部と横葺き外装材の裏面への接触が回避され、それにより金属劣化も防止できる。
【００１１】
また、支持部材の上面部に、一般に吊子と称される別部材（＝保持部材）を取り付ける場合、溶接、ビス止め、嵌合等の公知の取付方法を採用することができ、特に限定するものではなく、その取り付けを補助するような孔やスリット、或いはビス孔を適宜に設けるようにしてもよく、図示実施例のようにビス止めが最も簡易な手法として用いられる。
この保持部材は、支持部材と異なる部材であるため、前記保持部のように補強リブを設けるなどの構造を採らなくても支持部材より硬質の素材により成形することにより耐変形性や保持強度を与えることができるが、前記保持部と同様に、側縁が横葺き外装材の裏面に直接接触しないような形状に成形することが好ましい。
【００１２】
本発明の特徴的な構成として、前述のように支持部材には、上面部と左右の側面部で長手方向に連続する内部空間が形成されるが、この内部空間には、屋根勾配に沿って上方が開放する溝状（樋状）の排水部材が配設される。
この排水部材は、雨水等を水下側へ案内（流下）する機能を有し、前記内部空間に収容され、敷設状態においては屋根勾配に沿って連続するものであれば、その具体的な構成は特に限定するものではなく、一本の長尺材でもよいし、端部を重合させて複数の部材を直列状に連結した構成でもよい。
【００１３】
また、本発明に用いられる横葺き外装材（以下、単に外装材という）は、前記保持部又は保持部材により保持されて敷設されるものであれば、特にその具体的な構成を限定するものではなく、公知のどのような構成のものも適用できる。
【００１４】
このように本発明の横葺き屋根構造は、排水部材を一般に垂木と称される支持部材の内部空間に配設するという極めて簡易な構成により、屋根面の裏面側に積雪の融雪水や雨水などが浸入した場合であっても、雨水等を排水部材に導き、それ以上の浸入（＝漏水）を生ずることがなく、屋根勾配に沿って流下・排出させることができる。そのため、従来の二重葺き屋根構造に比較して資材コスト面でも施工コスト面でも安価なものとなる。
【実施例１】
【００１５】
図１及び図２に示す実施例は、固定部１３と左右の側面部１２と上面部１１とからなる断面略ハット型の垂木である支持部材１Ａの上面部１１に、切り起こし、プレス等によって略爪状の保持部１４を一体的に設けたものであり、図３に示す実施例は、支持部材１Ｂとは別部材の保持部材２を取り付けて一体化したものである。
【００１６】
図１及び図２における支持部材１Ａの保持部１４は、一般に吊子と称される部材の上半形状を模したものであり、外装材３の水上側成形部３３（被保持部３３１）を保持するものである。
さらに、図示実施例の保持部１４は、先端が水下側へ向く略爪状に成形されたものであり、図２（ｅ）に示すようにプレス加工等により、中程から立上り基端側（水上側）の片は、幅方向の中央部分から側方に向かって下方へ屈曲され、さらに側端部（小口）では逆に上方へ跳ね上がり状に屈曲された形状に成形されている。
【００１７】
また、支持部材１Ａは、その上面部１１と左右の側面部１２，１２で長手方向に連続する内部空間１５を形成している。
敷設状態では、上記内部空間１５に、屋根勾配に沿って連続するように排水部材４が配設される。
図示実施例の排水部材４は、図１（ａ）に示すように底部と側壁部とからなる断面略Ｕ字状の樋状部材であり、この内部に導かれた雨水等を水下側へ流下（排出）することができる。
【００１８】
図示実施例の支持部材１Ａの左右には、一定厚みの断熱材６を敷設し、この断熱材６の表面と前記支持部材１Ａの上面部１１とが一面状になるようにした。そして、その上に、防水材７を敷設した。この防水材７としては、防水性を有するプラスチックシート等の各種の防水材を用いることができる。
【００１９】
図示実施例の外装材３は、面板部３１の水下・水上側に相互に係合可能な水下側成形部３２、水上側成形部３３を有する構成である。
面板部３１は、図１（ｃ）に示すように、中央よりやや水上側で谷状に屈曲し、水下側近傍で山状に屈曲した略平坦状である。
水上側成形部３３は、面板部３１の水上側の端縁を表面側へＵターン状に屈曲し、その先端を水下側上方へ屈曲させ、さらにその上端を水下側に下方へ屈曲させた形状である。
水下側成形部３２は、面板部３１の水下側の端縁を裏面側に向かって折曲し、その下端を水上側に屈曲させ、その先端を表面側へＵターン状に屈曲した形状である。
【００２０】
上記の構成を有する外装材３は、素材を特に限定するものではないが、代表的には概ね０.４乃至１.６mm程度の表面化粧鋼板、ラミネート鋼板、メッキ鋼板、ステンレス鋼板、アルミ合金板、チタン合金板、銅板等の公知の金属素材をロール成形その他の手段で所定の形状に成形する。尚、硬質樹脂板や炭素繊維積層板等によっても同様の形状に成形することができ、全てをそれらで施工することもできるし、前記金属素材のものと組み合わせて施工することもできる。また、外装材３の裏面には、結露防止、防音、防火対策上の理由により、必要に応じてポリエチレンフォーム、グラスウールシート等の裏貼り材を添装しても良い。
【００２１】
これらの各部材からなる横葺き屋根構造は、下地５に支持部材１Ａの固定部１３を沿わせて固定する際に、その内部空間１５に、屋根勾配に沿って連続するように排水部材４を配設する以外は、従来の横葺き屋根構造と全く同様に施工することができる。
【００２２】
このような構成を有する図１の横葺き屋根構造は、屋根面の裏面側に積雪の融雪水や雨水などが浸入しても、支持部材１Ａの内部空間１５に配設された排水部材４に導き、該排水部材４により、それ以上の浸入（漏水）を生ずることがなく、屋根勾配に沿って雨水等を流下させることができる。
具体的には、保持部１４の切り起こしのために形成した長孔状の切り込みが、雨水等の導入部となって、排水部材４内に落下する。
【００２３】
特に図示実施例では、支持部材１Ａ上に防水材７を敷設したので、前述の雨仕舞性能に加え、この防水材７による雨仕舞性能も付加される。
【００２４】
また、保持部１４の側端部（小口）は、上方へ跳ね上がり状に屈曲された形状に成形したので、外装材３の裏面への接触が回避され（非接触となり）、それにより部材の伸縮や振動等に起因する摩擦によって生ずる金属劣化を防止できる。
【００２５】
図３に示す実施例は、前述のように支持部材１Ｂとは別部材の保持部材２を取り付けて一体化したものであり、それ以外の構成は前記図１の実施例とほぼ同様であるから、図面に同一符号を付して説明を省略する。
【００２６】
支持部材１Ｂは、前記保持部１４を設けない以外は前記支持部材１Ａと同様の構成を有する構成であり、固定部１３と左右の側面部１２と上面部１１とからなる断面略ハット型の垂木であり、長手方向に連続する内部空間１５が形成されている。
【００２７】
また、保持部材２は、一般に吊子と称される部材であって、この図３の横葺き屋根構造に用いた保持部材２は、外装材３の水上側成形部３３を保持する保持部２１と、支持部材１Ｂの上面部１１に沿わせてビス止め（ビス２３）固定する固定部２２とを有する構成である。
【００２８】
この図３の横葺き屋根構造は、前記図１の横葺き屋根構造と同様の効果を奏するものであり、屋根面の裏面側に積雪の融雪水や雨水などが浸入しても、支持部材１Ｂの内部空間１５に配設された排水部材４に導き、該排水部材４により、それ以上の浸入（漏水）を生ずることがなく、屋根勾配に沿って雨水等を流下させることができる。
具体的には、ビス止めに用いたビス２３の下端は、排水部材４内に深く位置しているので、雨水等はビス２３をつたって確実に排水部材４内に落下する。
【００２９】
また、支持部材１Ｂ上に防水材７を敷設した点についても同様であり、前述の雨仕舞性能に加え、この防水材７による雨仕舞性能も付加される。具体的には、前記ビス止め部分以外の雨水の浸入が確実に防止でき、雨仕舞性能がより優れたものとなる。
【００３０】
また、本発明に用いる支持部材１Ｂは、この種の横葺き屋根構造に一般的に用いられている略ハット型の金属垂木をそのまま流用できる。保持部材２についても、一般的に用いられている吊子をそのまま流用できる。さらに、排水部材４についても極めて簡易な構成である。そのため、資材コスト面でも施工コスト面でも前記従来の二重葺き屋根構造に比較して安価なものとなる。
【図面の簡単な説明】
【００３１】
【図１】（ａ）本発明の一実施例を示す正面図、（ｂ）その側面図である。
【図２】（ａ）図１の実施例に用いた支持部材を示す側面図、（ｂ）その正面図、（ｃ）その上面図、（ｄ）「Ａ］で示される保持部の拡大側面図、（ｅ）保持部の「Ｂ」における形状を示す断面図、（ｆ）Ｃ−Ｃ線における断面図である。
【図３】（ａ）本発明の他の一実施例を示す正面図、（ｂ）その側面図である。
【符号の説明】
【００３２】
１Ａ，１Ｂ  支持部材
１１  上面部
１２  側面部
１３  固定部
１４  保持部
１５  内部空間
２  保持部材
３  （横葺き）外装材
３１  面板部
３２  水下側成形部
３３  水上側成形部
４  排水部材
５  下地
６  断熱材
７  防水材
【図１】
0004418796.tif 000002
【図２】
0004418796.tif 000003
【図３】
0004418796.tif 000004